(57)【要約】【課題】外力が作用した場合にもフェルールが微動せず、微動による通信への悪影響を防止できる光コネクタを提供する。【解決手段】光トランシーバが収容されると共にフェルール収容室を有するコネクタハウジングと、コネクタハウジングに装着され、フェルール収容室を被うカバー１０と、フェルール収容室に収容されるフェルール２０とを備え、フェルール２０の外周面とカバー１０の内周面には、互いに嵌合し、押圧力によって光トランシーバの接続方向への移動を許容し、且つ、逆方向への移動を阻止するフェルール側嵌合部２５及びカバー側嵌合部１５が設けられている。フェルール側嵌合部２５とカバー側嵌合部１５は、それぞれ互いに噛み合う突部２５ａ，１５ａと溝部２５ｂ，１５ｂが交互に設けられ、突部２５ａ，１５ａと溝部２５ｂ，１５ｂを形成する面がテーパ面と垂直面である。【選択図】図６
2013190539.tif 000002
【特許請求の範囲】
【請求項１】
相手側接続部が収容されると共にフェルール収容室を有するコネクタハウジングと、前記コネクタハウジングに装着され、前記フェルール収容室を被うカバーと、前記フェルール収容室に収容されるフェルールとを備え、
前記フェルールの外周面と前記カバーの内周面には、互いに嵌合し、押圧力によって前記相手側接続部との接続方向への移動を許容し、且つ、逆方向への移動を阻止するフェルール側嵌合部及びカバー側嵌合部が設けられていることを特徴とする光コネクタ。
【請求項２】
請求項１記載の光コネクタであって、
フェルール側嵌合部と前記カバー側嵌合部は、それぞれ互いに噛み合う突部と溝部が交互に設けられ、突部と溝部を形成する面がテーパ面と垂直面であることを特徴とする光コネクタ。
【発明の詳細な説明】
【技術分野】
【０００１】
本発明は、光伝送を行う光ファイバの接続に用いられる光コネクタに関する。
【背景技術】
【０００２】
従来の光コネクタとしては、特許文献１、２等に開示されたものがある。例えば特許文献１の光コネクタは、図７に示すように、フェルール収容室５１を有するフェルール保持部材５２と、軸方向に移動自在で、且つ、先端側を外部に突出させた状態でフェルール収容室５１に収容されたフェルール５３と、フェルール５３の後側を装着されるフェルールキャップ５４と、フェルールキャップ５４とフェルール保持部材５２間に介在され、フェルール５３を先端方向に付勢するバネ５５とを有する。フェルール保持部材５２がコネクタハウジング（図示せず）にセットされると、フェルール５３が相手側接続部（例えば光電変換部品）の対向位置に配置される。そして、バネ５５のバネ力によってフェルール５３が相手側接続部に例えば密接され、位置決めされる。又、バネ５５のバネ力によってフェルール５３がコネクタハウジングに密接され、フェルール５３の端面が位置決めされる。
【先行技術文献】
【特許文献】
【０００３】
【特許文献１】特開２００５−３０１１５１号公報
【特許文献２】特開２００４−３１８０４８号公報
【発明の概要】
【発明が解決しようとする課題】
【０００４】
しかしながら、前記従来の光コネクタ５０では、バネ５５のバネ方向とは逆方向にバネ力以上が外力Ｄが作用すると、フェルール５３が微動して相手側接続部（又はコネクタハウジング）との間に隙間が発生し、通信に悪影響を及ぼすという問題があった。
【０００５】
そこで、本発明は、前記した課題を解決すべくなされたものであり、外力が作用した場合にもフェルールが微動せず、微動による通信への悪影響を防止できる光コネクタを提供することを目的とする。
【課題を解決するための手段】
【０００６】
本発明は、相手側接続部が収容されると共にフェルール収容室を有するコネクタハウジングと、前記コネクタハウジングに装着され、前記フェルール収容室を被うカバーと、前記フェルール収容室に収容されるフェルールとを備え、前記フェルールの外周面と前記カバーの内周面には、互いに嵌合し、押圧力によって前記相手側接続部との接続方向への移動を許容し、且つ、逆方向への移動を阻止するフェルール側嵌合部及びカバー側嵌合部が設けられていることを特徴とする光コネクタである。
【０００７】
フェルール側嵌合部と前記カバー側嵌合部は、それぞれ互いに噛み合う突部と溝が交互に設けられ、突部と溝部を形成する面がテーパ面と垂直面であることが好ましい。
【発明の効果】
【０００８】
本発明によれば、フェルールを相手側接続部との接続方向に押圧すると、その方向への移動がフェルール側嵌合部とカバー側嵌合部によって許容されるため、フェルールを確実に所定の位置に位置決めできる。そして、相手側接続部との接続方向とは逆方向の外力が作用すると、その方向への移動がフェルール側嵌合部とカバー側嵌合部によって阻止されるため、フェルールが微動することはない。以上より、外力が作用した場合にもフェルールが微動せず、通信への悪影響が発生しない。
【図面の簡単な説明】
【０００９】
【図１】本発明の一実施形態を示し、光コネクタの全体斜視図である。
【図２】本発明の一実施形態を示し、カバーを組み付ける前の光コネクタの全体斜視図である。
【図３】本発明の一実施形態を示し、カバーの内面図である。
【図４】本発明の一実施形態を示し、（ａ）はフェルールの正面図、（ｂ）はフェルールの断面図である。
【図５】本発明の一実施形態を示し、フェルールが載置されたコネクタハウジングにカバーを組み付けた場合のカバーの内面図である。
【図６】本発明の一実施形態を示し、（ａ）はカバーとフェルールの嵌合状態を説明する図、（ｂ）は（ａ）のＣ部拡大図である。
【図７】従来の光コネクタの要部断面図である。
【発明を実施するための形態】
【００１０】
以下、本発明の一実施形態を図面に基づいて説明する。
【００１１】
図１〜図６は本発明の一実施形態を示す。図１及び図２に示すように、光コネクタ１は、コネクタハウジング２とカバー１０とフェルール２０とを備えている。コネクタハウジング２は、相手側収容室（図示せず）とフェルール収容室３とこれらの間を仕切る仕切壁４とを有する。相手側収容室には、相手側接続部である光トランシーバ（光電変換部品）が収容される。仕切壁４には、一対のフェルール進入孔４ａが設けられている。
【００１２】
フェルール収容室３は、上面側が開口している。フェルール収容室３には、底面が半円弧状のフェルール載置台５が一対配置されている。この各フェルール載置台５に載置されたフェルール２０は、その先端側がフェルール進入孔４ａに挿入された状態で大略保持される。フェルール収容室３の左右の側壁には、一対のスライド溝６が設けられている。フェルール収容室３の左右の側壁には、一対の係止孔７が設けられている。
【００１３】
カバー１０は、上面がフラットなカバー本体１１とこのカバー本体１１の左右両側より垂下される一対の側壁部１２とを有する。一対の側壁部１２には、一対のスライドリブ１３が垂直方向に沿って突設されている。一対の側壁部１２には、一対の係止アーム部１４が突設されている。カバー１０は、一対のスライドリブ１３をコネクタハウジング２の一対のスライド溝６に進入させ、一対の係止アーム部１４をコネクタハウジング２の一対の係止孔７に係止させることによってコネクタハウジング２に装着される。
【００１４】
カバー本体１１及び側壁部１２の内面には、図３に詳しく示すように、一対のカバー側嵌合部１５が設けられている。各カバー側嵌合部１５は、円弧状の凹面に交互に形成された突部１５ａと溝部１５ｂから構成されている。突部１５ａと溝部１５ｂの詳しい構造は、下記する。
【００１５】
フェルール２０には、図４（ａ）、（ｂ）に詳しく示すように、光ファイバ（図示せず）の先端部が接続されている。具体的には、フェルール２０の芯線挿入孔２０ａに光ファイバの芯線が挿入され、且つ、固定されることによって接続されている。フェルール２０は、先端筒部２１と中央つば部２２と胴体部２３と後端つば部２４とを有する。先端筒部２１の先端が端面２１ａである。胴体部２３の外周面には、フェルール側嵌合部２５が設けられている。フェルール２０は、この実施形態では、中央つば部２２がコネクタハウジング２の仕切壁４に密着する位置が端面２１ａの位置出し位置とされている。
【００１６】
フェルール側嵌合部２５は、胴体部２３の外周面に交互に形成された突部２５ａと溝部２５ｂから構成されている。フェルール側嵌合部２５とカバー側嵌合部１５の突部２５ａ，１５ａと溝部２５ｂ，１５ｂは、図５及び図６に詳しく示すように、それぞれ互いに噛み合うよう構成されている。フェルール側嵌合部２５の突部２５ａと溝部２５ｂが形成する面は、光トランシーバとの接続方向の前面がテーパ面で、その後面が垂直面である。カバー側嵌合部１５の突部１５ａと溝部１５ｂが形成する面は、逆向きで、光トランシーバとの接続方向の前面が垂直面で、その後面がテーパ面である。これにより、フェルール２０は、光トランシーバ側に押圧されると、その押圧力Ａによって光トランシーバとの接続方向への移動が許容される。逆に、フェルール２０は、光トランシーバ側とは逆方向の外力Ｂが作用しても、逆方向への移動が阻止される。
【００１７】
次に、フェルール２０の組み付け手順を説明する。コネクタハウジング２のフェルール収容室３にフェルール２０を挿入する。フェルール２０は、その先端筒部２１をフェルール進入孔４ａに挿入した状態でフェルール載置台５に載置する。次に、カバー１０をコネクタハウジング２に組み付ける。これで、カバー１０によってフェルール収容室３の上面が塞がれる。カバー１０を組み付ける過程で、カバー２０の内面側のカバー側嵌合部１５がフェルール２０のフェルール側嵌合部２５に徐々に近づき、最終的に嵌合状態となる。カバー１０をコネクタハウジング２に組み付けた状態で、各フェルール２０は仮に位置決めされる。次に、各フェルール２０の後面を押圧力Ａで押圧する。すると、フェルール側嵌合部２５とカバー側嵌合部１５の嵌合力に抗してフェルール２０が移動する。フェルール２０は、その中央つば部２２が仕切壁４に当接する位置まで移動し、これ以上は移動しない。そして、この位置がフェルール２０の位置出し位置であり、フェルール２０の端面２１ａが正確に位置出しされる。
【００１８】
そして、光トランシーバとの接続方向に対し逆方向の外力Ｂが作用しても、その方向への移動がフェルール側嵌合部２５とカバー側嵌合部１５の嵌合力によって阻止されるため、フェルール２０が微動することはない。以上より、外力が作用した場合にもフェルール２０が微動せず、微動に起因する通信への悪影響を防止できる。
【００１９】
フェルール側嵌合部２５とカバー側嵌合部１５は、それぞれ互いに噛み合う突部２５ａ，１５ａと溝部２５ｂ，１５ｂが交互に設けられ、突部２５ａ，１５ａと溝部２５ｂ，１５ｂを形成する面がテーパ面と垂直面である、従って、フェルール側嵌合部２５とカバー側嵌合部１５を簡単に構成できる。ここで、フェルール側嵌合部２５とカバー側嵌合部１５をネジ構造とすることが考えられるが、締結解除方向にフェルール２０が回転すると微動することになる。これに対し、本発明では仮にフェルール２０が回転しても微動せず、微動に起因する通信への悪影響を防止できる。
【００２０】
前記実施形態では、相手側接続部は、光トランシーバであるが、光結合できるもの（例えば相手側フェルール）であれば良い。
【符号の説明】
【００２１】
１  光コネクタ
２  コネクタハウジング
３  フェルール収容室
１０  カバー
１５  カバー側嵌合部
１５ａ  突部
１５ｂ  溝部
２０  フェルール
２５  フェルール側嵌合部
２５ａ  突部
２５ｂ  溝部
【図１】
2013190539.tif 000003
【図２】
2013190539.tif 000004
【図３】
2013190539.tif 000005
【図４】
2013190539.tif 000006
【図５】
2013190539.tif 000007
【図６】
2013190539.tif 000008
【図７】
2013190539.tif 000009